(57)【要約】【課題】操作員の負荷を軽減し、関連図面リストを迅速に表示することができる。【解決手段】格納されている図面１１を全文検索してキーワードを抽出し、当該キーワードと図面のリストとを対応付けてインデックスを作成するとともに、監視対象プラントの状態を示す信号が発生したときに、前記信号の中からキーワードを抽出し、前記キーワードを用いて前記インデックスを検索して、前記キーワードに対応する関連図面リスト１７を抽出して画面表示する。【選択図】図１
2006293611.tif 000002
【特許請求の範囲】
【請求項１】
図面データを格納している図面データ格納手段と、
前記図面データからキーワードを抽出し、前記キーワードと図面のリストとを対応付けてインデックスを作成するインデックス作成手段と、
監視対象プラントの状態を示す信号が発生したときに、前記信号の中からキーワードを抽出し、前記キーワードを用いて前記インデックスを検索して、前記キーワードに対応する図面のリストを抽出する図面リスト抽出手段と、
抽出された前記図面のリストを画面表示する図面リスト表示手段と
を備えたことを特徴とするプラント監視制御システム。
【請求項２】
前記図面リスト表示手段により表示された前記図面のリストの中から１つの図面を選択指定する入力を受け付ける図面指定受付手段と、
前記図面指定受付手段により選択指定された図面の図面データを前記図面データ格納手段から読み出して表示する図面表示手段と
をさらに備えたことを特徴とする請求項１に記載のプラント監視制御システム。
【請求項３】
前記図面リスト表示手段は、前記監視対象プラントに関して発生した前記信号に基づいて、前記監視対象プラントの故障・イベントの種類や状況に応じて、関連性の高い順に図面リストを表示する
ことを特徴とする請求項１または２に記載のプラント監視制御システム。
【請求項４】
前記図面指定受付手段により選択指定された回数を前記図面ごとに記憶する利用頻度記憶手段をさらに備え、
前記図面リスト表示手段は、前記利用頻度記憶手段に記憶されている前記回数の多い図面から順に前記図面リストを表示する
ことを特徴とする請求項２または３に記載のプラント監視制御システム。
【請求項５】
図面の検索条件の入力を受け付ける検索条件受付手段と、
前記検索条件受付手段により前記検索条件の入力を受け付けた場合に、前記検索条件に合致する図面を検索して表示する検索手段と、
前記検索手段により検索された図面を選択指定する入力を受け付けたときに、前記図面の図面データを前記図面データ格納手段から読み出して表示する検索図面表示手段と、
前記検索図面表示手段によって検索された前記図面を図面リストに追加する指令の入力を受け付けた場合に、前記図面を前記図面リスト表示手段によって表示される前記図面リストに追加する図面リスト追加手段と
をさらに備えたことを特徴とする請求項１ないし４のいずれか１項に記載のプラント監視制御システム。
【請求項６】
前記図面リスト表示手段によって表示される前記図面リストをユーザＩＤごとに格納する図面リスト格納手段と、
各ユーザＩＤに基づいてユーザリストを表示するユーザリスト表示手段と、
前記ユーザリスト表示手段により表示された前記ユーザリストの中から１つのユーザを選択指定するための入力を受け付けるユーザ指定受付手段と、
前記ユーザ指定受付手段により選択指定されたユーザのユーザＩＤに対応する図面リストを前記図面リスト格納手段から読み出して表示する他ユーザ図面リスト表示手段と
をさらに備えたことを特徴とする請求項１ないし５のいずれか１項に記載のプラント監視制御システム。
【発明の詳細な説明】
【技術分野】
【０００１】
この発明は、プラント監視制御装置に関し、特に、上下水の水処理プラント等のプラントの状態に応じて関連図面を検索／表示するためのプラント監視制御装置に関する。
【背景技術】
【０００２】
従来のシステムにおいては、複数の装置及び部品から構成されたプラントの取扱説明書と設計図面とを互いにリンクさせてデータベースに格納しておき、それらの装置や部品が指定選択されると、データベースをアクセスして、選択された装置または部品に関する取扱説明書及び／又は設計図面を操作員の端末装置に表示する（例えば、特許文献１参照）。
【０００３】
従来システムにおいては、プラントの信号と図面との関連を人間が定義する必要があり、プラント信号と図面とが共に数が膨大である場合には、定義に要する労力が大きかった。また、プラント信号と図面との関連は定義する人がファイル名の情報だけに頼っているため、図面内に含まれている機器名称などとの定量的で正確な関連づけが困難であり、定義する人の各図面に対する知識によって個人差が生じていた。
【０００４】
【特許文献１】特開２００２−２１５２２３号公報
【発明の開示】
【発明が解決しようとする課題】
【０００５】
従来システムでは、プラント信号と図面との関連を人間が定義するため、特に巨大あるいは複雑なプラントでは、取扱説明書及び設計図面の量は膨大となるため、定義付けに大きな労力が必要であるという問題点があった。また、定義結果も定義者の図面に対する知識によって個人差が生じるなどの問題点があった。また、従来システムではプラント信号と図面との関連性の修正は人間が行うため、システムが自動的に修正できる機能がなかった。
【０００６】
この発明はかかる問題点を解決するためになされたものであり、図面のファイル名検索だけでなく全文検索を行って図面のインデックスを作成し、プラントの状態を示す信号が発生したときに、当該信号に含まれるキーワードを用いてインデックスを検索して関連図面リストを表示することにより、操作員に負荷をかけずに関連図面リストを迅速に表示することが可能なプラント監視制御システムを得ることを目的とする。
【課題を解決するための手段】
【０００７】
この発明は、図面データを格納している図面データ格納手段と、前記図面データからキーワードを抽出し、前記キーワードと図面のリストとを対応付けてインデックスを作成するインデックス作成手段と、監視対象プラントの状態を示す信号が発生したときに、前記信号の中からキーワードを抽出し、前記キーワードを用いて前記インデックスを検索して、前記キーワードに対応する図面のリストを抽出する図面リスト抽出手段と、抽出された前記図面のリストを画面表示する図面リスト表示手段とを備えたことを特徴とするプラント監視制御システムである。
【発明の効果】
【０００８】
この発明は、図面データを格納している図面データ格納手段と、前記図面データからキーワードを抽出し、前記キーワードと図面のリストとを対応付けてインデックスを作成するインデックス作成手段と、監視対象プラントの状態を示す信号が発生したときに、前記信号の中からキーワードを抽出し、前記キーワードを用いて前記インデックスを検索して、前記キーワードに対応する図面のリストを抽出する図面リスト抽出手段と、抽出された前記図面のリストを画面表示する図面リスト表示手段とを備えたことを特徴とするプラント監視制御システムであるので、図面のファイル名検索だけでなく全文検索を行ってインデックスを作成し、プラントの状態を示す信号が発生したときに、当該信号に含まれるキーワードを用いてインデックスを検索して関連図面リストを表示することが可能となり、操作員に負荷をかけずに関連図面リストを迅速に表示することが可能である。
【発明を実施するための最良の形態】
【０００９】
実施の形態１．
以下、この発明の実施の形態１に係るプラント監視制御システムについて図１をもとに説明する。ただし、本実施の形態に記載されるプラント信号、メッセージ、および、図面の種類等は、特別な記載がない限り、本発明の範囲をそれのみに限定する主旨ではなく、単なる説明例に過ぎないものとする。
【００１０】
図１に示すように、本実施の形態１に係るプラント監視制御システムは、サーバ等のコンピュータから構成される図面／信号関連情報生成部１３と、ＨＤＤ（ハードディスク）等の記憶装置から構成される関連情報データベース１４（以下、関連情報ＤＢ１４とする。）と、操作員のコンピュータ端末に設けられたプラント監視画面１５とを備えている。図面／信号関連情報生成部１３は、ＣＡＤや取扱説明書等のプラントの図面１１とプラントの信号項目表１２とが入力されて、プラント信号と関連する図面リストとをリンクさせた関連情報ＤＢ１４を生成する。プラント監視画面１５は、プラント監視制御システムに監視対象のプラントの状態を示すプラント信号が発生したときに、関連情報ＤＢ１４の関連図面リストが表示される。なお、プラント信号とは、監視対象のプラントに故障や不具合が生じたことを検知したときに、プラント監視制御システムが発生させて画面に表示するプラントの状態を示す信号である。
【００１１】
次に、図１に示した図面／信号関連情報生成部１３と関連情報ＤＢ１４とについて、図２を用いて詳細に説明する。図２に示すように、図面／信号関連情報生成部１３には、データリーダ１（符号２２）とデータリーダ２（符号２４）とが設けられている。
【００１２】
データリーダ１（符号２２）は、入力されたＣＡＤや取扱説明書等のプラントの図面１１（図面データ）について、それに含まれる機器名称等の全文検索とファイル名検索を行い、インデックス２３（索引データ）を自動生成・更新する。データリーダ１（符号２２）は、ＡｕｔｏＣＡＤ、ＣＳＶファイルなどにも対応する。
インデックス２３は、図面の中に記載されている機器名称等の単語や、図面データのファイル名の中に含まれている単語を抽出し、その単語が含まれている図面リストを各単語に対応させて記憶したものである。すなわち、「ポンプ」という単語を含んでいる図面のファイルが３つあるとすると、「ポンプ」という単語に対応させて当該３つの図面ファイルのファイル名が記憶されている。
なお、図面１１およびインデックス２３は、それぞれ、電子データであり、プラント監視制御システムのＨＤＤ等の記憶装置に格納されるものとする。
データリーダ２（符号２４）は、プラント信号項目表１２を読み込み、プラント監視制御システムに発生したプラント信号に基づいて、インデックス２３を絞り込んで、関連情報ＤＢ１４を生成する。
プラント信号項目表１２とは、図１に示すように、プラントの状態信号（故障，運転など）を監視制御システムで認識できるように割り付けたアドレスと信号の内容を表す項目名称とを一対一に対応付けたものである。
絞込みの方法として、例えば、プラント信号が「送水ポンプ重故障発生」の場合、このプラント信号を「送水」「ポンプ」「重」「故障」「発生」といったキーワードごとの５つの単語に分け、当該単語が入っている図面をインデックス２３から絞り込んで、該当する図面を抽出して、図面リストを生成する。
【００１３】
次に、動作について説明する。
プラントの図面１１とプラントの信号項目表１２とを図面／信号関連情報生成部１３に入力すると、データリーダ１（符号２２）は、入力されたＣＡＤや取扱説明書等のプラントの図面１１の全文検索とファイル名検索を行い、インデックス２３（索引データ）を自動生成・更新する。データリーダ２（符号２４）は、プラント信号項目表１２を読み込み、プラント信号の中から単語を抽出し、当該単語に基づいて、インデックス２３から図面を絞り込んで、プラント信号と関連する図面リストとをリンクさせた関連情報ＤＢ１４を生成する。
このとき、プラント監視制御システム上で、監視対象のプラントの故障や不具合を知らせるためのプラント信号が発生した場合、プラント監視画面１５に、当該プラント信号が表示される。プラント監視画面１５には、プラントに含まれている複数の機器に対応した複数の機器シンボル１６やメッセージが表示されているので、操作員が、表示されたプラント信号に基づいて、その中の１つの機器シンボル１６あるいはメッセージを選択してマウスでクリックすることにより、機器シンボル１６あるいはメッセージに該当する機器に関連している図面リストが関連情報ＤＢ１４から検索されて、関連図面リスト１７としてプラント監視画面１５に表示される。操作員が、表示された関連図面リスト１７から必要な図面を選択指定してマウスでクリックすることにより、所望の図面１８を迅速に表示することができる。
【００１４】
以上のように本実施の形態によれば、プラントの状態信号とＣＡＤ、取扱説明書などの図面との関連性を人間が定義（入力）する必要がなく、プラント監視画面１５上でメッセージやシンボルの選択によりプラントの状態信号に関連した関連図面リスト１７が表示され、当該関連図面リストから必要な図面を選択するとそれが表示されるため、操作員が自分で図面を検索する必要がなく素早く関連する図面が表示することが可能となる。
【００１５】
実施の形態２．
なお、上記実施の形態１では、画面上のメッセージやシンボルの選択によりプラント信号に関連する図面を表示することを説明したが、本実施の形態においては、図３に示すように、関連図面リスト１７が、同じ機器や設備であっても、現在発生した故障・イベントの種類や状況に応じて、プラント信号に対する関連性の高い図面の順に表示を行う。このとき、実施の形態１と同様に、操作員が、関連図面リスト１７から必要な項目を選択すると、図面１８が即時に表示される。
【００１６】
関連性の高低を決定する方法としては、例えば、各プラント信号ごとに、それに含まれる故障・イベントの種類や状況を示す各単語に対して、それぞれ、関連性のレベルをあらかじめ設定しておき、当該レベルの最も高い単語に対応する図面から順に表示するようにする。
【００１７】
関連性の高低を決定する別の方法としては、たとえば、図面のうち、プラント信号に含まれている単語を最も多い数含んでいるものを最も関連性の高い図面として決定する。逆に、プラント信号に含まれている単語をもっとも少なく含んでいる図面をもっとも関連の低い図面として決定する。具体的に説明すれば、プラント信号が「送水ポンプ重故障発生」の場合、ある図面Ａに「送水」と「故障」が含まれており、別のある図面Ｂに「送水」と「ポンプ」と「重」が含まれていて、また別のある図面Ｃに「ポンプ」のみ含まれていた場合には、図面Ｂが最も関連性が高く、２番目が図面Ａ、３番目が図面Ｃの順で図面リストが表示される。
【００１８】
以上のように、本実施の形態によれば、表示された図面リストが関連性の高い順に表示されているため、操作員が、図面リストから必要な図面を容易に見つけ、素早く選択表示することができる。
【００１９】
実施の形態３．
以下、この発明の実施の形態３について図４をもとに説明する。実施の形態２で説明した関連性の高い順に表示される関連図面リスト１７は、本実施の形態においては、常に同じ順番で表示するのではなく、操作員が関連図面リスト１７から選択した図面の回数に基づいて、関連図面リスト１７は利用頻度の降順に（すなわち、利用頻度の高い順に）図面の表示順序を入れ替えて表示する。
【００２０】
図４に示されるように、信号Ａというプラント信号が発生した１回目のときに、操作員が関連図面リスト１７から、例えば、「ＹＹ記録１」を選択して当該図面１８を表示されたとする。信号Ａというプラント信号が発生した２回目のときに、操作員が関連図面リスト１７から、例えば、「ＸＸ図１」を選択して当該図面１８を表示されたとする。信号Ａというプラント信号が発生した３回目のときに、操作員が関連図面リスト１７から、例えば、「ＹＹ記録１」を選択して当該図面１８を表示されたとする。これを繰り返し、信号Ａというプラント信号が発生したｎ回目のときに、操作員が関連図面リスト１７から、例えば、「ＹＹ記録１」を選択して当該図面１８を表示されたとする。このようにして、信号Ａというプラント信号が発生するたびに、操作員が選択した図面の履歴を記憶しておき、所定の回数（ｎ回）分の履歴がプラント監視制御システムの記憶装置に記憶されたときに、当該履歴に基づいて、図面リスト自動修正部４１が、利用頻度順に、関連図面リスト１７の図面の表示順序を並び換える。この例では、「ＹＹ記録１」の利用頻度が最も高く、次に、「ＸＸ図１」の利用頻度が高かったとすると、「ＹＹ記録１」，「ＸＸ図１」，・・・の順に図面リストが表示される。これにより、（ｎ＋１）回に信号Ａというプラント信号が発生したときには、並び変えられた順序で関連図面リスト１７が表示される。なお、所定の回数のｎ回のｎの値は１以上の任意の値とする。このように、各プラント信号ごとに、操作員の操作履歴を残し、関連図面リスト１７の図面を表示する順序を操作履歴に基づいて並べ替えるようにする。また、必ずしも各プラント信号ごとに操作履歴を分けなくてもよく、総括してすべてのプラント信号の場合の操作履歴をまとめて残すようにしてもよい。
【００２１】
以上のように、本実施の形態においては、操作員の操作を学習し、図面リストの図面を表示する順番を利用頻度順に変えるようにしたので、操作性の向上に寄与することができる。
【００２２】
実施の形態４．
なお、上記の実施の形態３では、操作員が図面リストから選択表示した結果を学習して、図面リストの順番を入れ替える機能について説明したが、本実施の形態においては、操作員が図面リストにない図面を検索／選択して表示した場合、図面リストに当該図面を追加する機能について、図５を用いて説明する。
【００２３】
まず、実施の形態１で説明したように、プラントにプラント信号が発生した場合、ＳＴＥＰ１として操作員が機器シンボル１６のいずれかを選択すると、ＳＴＥＰ２として関連図面リスト１７が表示される（図１参照）。次に、ＳＴＥＰ３として、必要な図面が関連図面リスト１７内にあるか否か、すなわち、操作員によっていずれかが選択されたか否かについて判定する。選択された場合には、ＳＴＥＰ４として、当該図面１８を図面表示する。一方、必要な図面がリストになく操作員がいずれの図面も選択しなかった場合には、ＳＴＥＰ５として、操作員の操作により、必要な図面が検索されて表示される。当該操作を簡単に説明すれば、画面に表示されている検索条件入力欄に検索条件を入力する。当該入力が受け付けられたときに、検索条件に合致する１以上の図面を検索して画面表示する。次に、操作員が検索結果として表示されている図面を指定してマウスでクリックすると、当該図面が画面表示される。次に、ＳＴＥＰ６として、本図面の検索表示は再現性があるか否かにつき、操作員に「はい」あるいは「いいえ」を入力させ、「はい」の場合は、関連図面リスト１７にその図面を追加する。このようにすることにより、学習機能の内容として、元々、関連図面リスト１７にある順番を入れ替えるだけでなく、操作員が検索して表示された図面も関連図面リスト１７に追加することができるので、関連図面リスト１７の内容自体も操作員の図面表示結果を学習して追加し、効率化を図ることができる。なお、操作員に追加の要否を聞く例について説明したが、その場合に限らず、例えば、操作印が検索した図面が表示された場合に、当該図面を図面リストに自動的に追加するような構成にしてもよい。
【００２４】
以上のように、本実施の形態においては、操作員の操作結果から、元々関連図面リスト１７になかった内容も自動的に追加することができるようにしたので、最初にプラント信号との関連づけをしなかった図面も、必要に応じて、関連図面リスト１７に追加され、操作員にとって、より使い易いプラント監視制御システムを提供することができる。
【００２５】
実施の形態５．
本実施の形態においては、図６のように、プラント監視制御システムヘのログインごとに操作員を認証し、操作員に応じて個人操作員カルテを作成する。また、図面リストは各ユーザＩＤごとにプラント監視制御システムの記憶装置に格納されているものとする。
【００２６】
操作員は、ユーザＩＤ（ユーザ名）とパスワードとを入力することによりユーザ認証が行われ、認証の結果、本人であると確認された場合には、ログイン６１する。通常操作６２の場合は、操作員は、上記の実施の形態４の動作による自分の操作履歴によって構築した関連図面リスト６４から図面を選択して表示する。
【００２７】
本実施の形態においては、通常動作６２の他に、参照動作６３が可能である。本実施の形態においては、図６に示すように、関連図面リスト６４に、参照６５というアイテムが設けられている。操作員が参照６５というアイテムをマウスでクリックすると、他の操作員の名前リストである操作員リスト６６が表示される。操作員が、関連図面リストを参照したい相手方の操作員の名前を選択してマウスでクリックすることにより、選択された他の操作員が構築した関連図面リスト６７を参照することができる。このようにすることにより、例えば、他のベテラン操作員の操作結果で構築された関連図面リスト６７を参照して関連図面を表示することも可能である。
【００２８】
以上のように、本実施の形態においては、操作員は通常は各自自分の名前でログインして操作を行うため、自分が過去に操作した結果を生かした操作環境で操作するが、参照というアイテムをクリックすることにより、例えばベテラン操作員等の他の操作員の操作結果を参照することが可能となる。
【図面の簡単な説明】
【００２９】
【図１】この発明の実施の形態１に係るプラント監視制御システムの構成を示した説明図である。
【図２】この発明の実施の形態１に係るプラント監視制御システムにおける図面／信号関連情報生成装置および関連情報データベースの構成を示した説明図である。
【図３】この発明の実施の形態２に係るプラント監視制御システムにおけるプラント監視画面の一例を示した説明図である。
【図４】この発明の実施の形態３に係るプラント監視制御システムの動作を示した説明図である。
【図５】この発明の実施の形態４に係るプラント監視制御システムの動作を示した説明図である。
【図６】この発明の実施の形態５に係るプラント監視制御システムの動作を示した説明図である。
【符号の説明】
【００３０】
１１  図面、１２  プラント信号項目表、１３  図面／信号関連情報生成部、１４  関連情報データベース、１５  プラント監視画面、１６  機器シンボル、１７  関連図面リスト、１８  図面、２２  データリーダ１、２３  インデックス、２４  データリーダ２、６１  ログイン。
【図１】
2006293611.tif 000003
【図２】
2006293611.tif 000004
【図３】
2006293611.tif 000005
【図４】
2006293611.tif 000006
【図５】
2006293611.tif 000007
【図６】
2006293611.tif 000008